(57)【特許請求の範囲】
【請求項１】
前部にエンジン（２）及び主伝動ケース（３）と左右一対の前輪（４）及び後輪（５）を設け、後部に苗植付装置（６）、苗供給部（７）、覆土鎮圧輪（８）及び操縦ハンドル（９）を設けた苗移植機において、該苗植付装置（６）は下部が前後に開閉する嘴状の前側部材（２６ａ）と後側部材（２６ｂ）とからなる作穴体（２６）と該作穴体（２６）を上下方向の楕円軌跡（Ｋ）を描いて一定姿勢のまま昇降作動する作穴体作動機構（２７）とで構成し、該作穴体（２６）は昇降の下死点もしくはその近傍で土中に突入すると共に、その土中に突入したときに下部が開いて苗植付用の穴を開け、該作穴体（２６）の下部が土中に突入して開いたとき、水平状態に変位して作穴体（２６）の周辺の表土面を表土面と平行する面で押圧する押圧具（４０）を作穴体（２６）に設け、該押圧具（４０）を弾性体にて構成すると共に、進行方向側の前側部材（２６ａ）外面を緩傾斜とし、反進行方向側の後側部材（２６ｂ）外面を急傾斜に構成したことを特徴とする苗移植機。
【発明の詳細な説明】
【０００１】
【発明の属する技術分野】
この発明は、野菜等の苗を移植する苗移植機に関し、農業機械の技術分野に属する。
【０００２】
【従来の技術】
下端部が尖った嘴状の作穴体が周期的に昇降し、昇降行程の下死点もしくはその近傍で作穴体が土中に突入すると共に、その土中に突入したときに下部が開いて苗植付用の穴を開け、その穴の中に苗が植付けられる構成の苗移植機がある。
【０００３】
【発明が解決しようとする課題】
かかる従来構成の苗移植機では、作穴体の下部が開くとき、作穴体が形成した穴内に周辺の土壌が崩れて落ち込むことがあり、植付後の苗の育成に支障を来す問題があった。
【０００４】
【課題を解決するための手段】
この発明は、上記課題を解決すべく次のような技術的手段を講じた。
すなわち、第１発明にかかる苗移植機は、前部にエンジン２及び主伝動ケース３と左右一対の前輪４及び後輪５を設け、後部に苗植付装置６、苗供給部７、覆土鎮圧輪８及び操縦ハンドル９を設けた苗移植機において、該苗植付装置６は下部が前後に開閉する嘴状の前側部材２６ａと後側部材２６ｂとからなる作穴体２６と該作穴体２６を上下方向の楕円軌跡Ｋを描いて一定姿勢のまま昇降作動する作穴体作動機構２７とで構成し、該作穴体２６は昇降の下死点もしくはその近傍で土中に突入すると共に、その土中に突入したときに下部が開いて苗植付用の穴を開け、該作穴体２６の下部が土中に突入して開いたとき、水平状態に変位して作穴体２６の周辺の表土面を表土面と平行する面で押圧する押圧具４０を作穴体２６に設け、該押圧具４０を弾性体にて構成すると共に、進行方向側の前側部材２６ａ外面を緩傾斜とし、反進行方向側の後側部材２６ｂ外面を急傾斜に構成したことを特徴としている。
【０００５】
【０００６】
【０００７】
【発明の効果】
以上要するに、本発明にかかる苗移植機は、該作穴体２６の下部が土中に突入して作穴体２６の下部が閉じた状態から開いたとき、作穴体２６に設けた押圧具４０が水平状態に変位して作穴体２６の周辺の表土面が表土面と平行する面で押し固められるので、このような押圧作用によって穴の肩口が確実に押し固められ、該穴内への土壌の崩れ落ちがなくなる。従って、植付後の苗には土をかぶらないため、苗の生育を早めることができる。
また、押圧具４０を弾性体にて構成しているので、植付用穴の周囲の表土面に凹凸があっても確実に押圧することができる。また、マルチ圃場であってもマルチフイルムを傷めることがない。
また、進行方向側の前側部材２６ａ外面を緩傾斜とし、反進行方向側の後側部材２６ｂ外面を急傾斜に構成しているので、植付作業時に作穴体２６により形成される植付穴の進行方向側の壁が同進行方向側に向けてひきづられる傾向にあって、土の押しのけ量が多くなり、土崩れが発生しやすいが、進行方向側における前側部材２６ａの傾斜を緩くすることで、かかる不具合を解消することができる。
【０００８】
【発明の実施の形態】
この発明の実施例を図面に基づき説明する。
図１は、苗移植機の一例として歩行型の苗移植機１を示すものであり、この歩行型苗移植機１は、主として前部にエンジン２及び主伝動ケース３と走行車輪としての左右一対の前輪４，４及び後輪５，５と後部に苗植付装置６、苗供給部７、覆土鎮圧輪８及び操縦ハンドル９とを備えて構成される。この苗移植機１は、機体が圃場内の畝をまたぐように前記前輪４，４及び後輪５，５が畝間を走行し、畝の上面の左右中央に前記苗植付装置６により苗を植付けていくようになっている。
【０００９】
主伝動ケース３の左右端には該主伝動ケース３に対して回動可能な走行エクステンションケース１０，１０を左右それぞれ設け、前記左右の走行エクステンションケース１０，１０のそれぞれの端部に走行チェーンケース１１，１１を固着して設けている。従って、前記エンジン２から入力される主伝動ケース３内の動力を走行チェーンケース１１，１１内に伝動する構成となっている。前記走行チェーンケース１１，１１の回動先端部の左右内側には走行車輪である左右一対の後輪５，５をそれぞれ取り付け、この左右一対の後輪５，５の駆動により機体が走行するようになっている。従って、主伝動ケース３は、走行車輪としての後輪５，５に伝動する伝動装置となっている。一方、エンジン載置台の下部には左右方向に延びる前輪支持フレーム１２を前後方向のローリング軸１３回りに回動可能に設け、この前輪支持フレーム１２の左右両端部に前輪４，４を取り付けた構成としている。
【００１０】
前記左右の走行エクステンションケース１０，１０は、左右横方向に伸縮（後輪駆動軸も同時に伸縮）する構成であり、この左右方向の伸縮により後輪５，５のトレッド調節を行う構成となっている。
また、前輪支持フレーム１２は左右伸縮可能に設けられており、左右の前輪４，４のトレッド調節も行えるようになっている。
【００１１】
前記左右フレーム１４の後部には、右寄りの位置に延びる主フレーム１５を設けている。該主フレーム１５の後端部には操縦ハンドル９を設け、この操縦ハンドル９が主フレーム１５を介して前記主伝動ケース３に支持された構成となっている。
【００１２】
また、主伝動ケース３の後部で左右方向の中央には、油圧昇降シリンダ１６を設けている。この油圧昇降シリンダ１６は、主伝動ケース３に固着された油圧切替バルブ部１７に固着して設けられ、主伝動ケース３に固着された油圧ポンプ１８からの油圧を切り替える前記油圧切替バルブ部１７に備えられた昇降操作バルブを操作することにより作動するようになっている。前記油圧昇降シリンダ１６のシリンダロッド端には左右に延びる横杆１９を設け、この横杆１９の左右端部にそれぞれ後輪昇降ロッド２０，２１を枢着し該ロッド２０，２１の他端をそれぞれの走行エクステンションケース１０，１０に固着された上側アーム１０ａ，１０ａに枢着して、前記横杆１９と走行エクステンションケース１０，１０とが連結された構成となっている。従って、前記油圧昇降シリンダ１６の伸縮により前記横杆１９、前記後輪昇降ロッド２０，２１を介して主伝動ケース３の左右の出力軸回りに走行チェーンケース１１，１１が回動され、該走行チェーンケース１１，１１の回動により後輪５，５が上下して機体が昇降する構成となっている。
【００１３】
また、左側の前記後輪昇降ロッド２０が伸縮するように該ロッド２０の中途部に油圧ポンプ１８からの油圧により作動する水平用油圧シリンダ２２を設けており、該水平用油圧シリンダ２２の伸縮により右側の後輪５の上下位置に対して左側の後輪５を上下させて、畝の谷部の凹凸に関係なく機体を左右水平に維持できるようになっている。尚、主伝動ケース３の右側には振り子式の左右傾斜センサ２３が設けられて、この左右傾斜センサ２３の検出により油圧切替バルブ部１７に備えられた水平操作バルブを介して前記水平用油圧シリンダ２２を作動させ機体を左右水平に維持する構成となっている。
【００１４】
前記苗植付装置６は、一株の苗を圃場に植付けるべく主伝動ケース３内からの動力が前記主伝動ケース３の後側に設けた植付ミッションケース２４とこの植付ミッションケース２４から連動駆動される第１植付伝動ケース２５Ａ及び第２植付伝動ケース２５Ｂを介して伝達され作動するようになっている。
【００１５】
前記苗植付装置６は、下部が前後に開閉する嘴状の作穴体２６と該作穴体２６を昇降させるべく作動する作穴体作動機構２７とで構成される。
作穴体２６は前側部材２６ａと後側部材２６ｂとからなっており、作穴体２６の後方に位置する前側部材回動軸２８ａに回動自在に支持された前側部材取付アーム２９ａに前側部材２６ａ一体に取り付けられ、作穴体２６の前方に位置する後側部材回動軸２８ｂに回動自在に支持された後側部材取付アーム２９ｂに後側部材２６ｂが一体に取り付けられている。従って、回動軸２８ａ，２８ｂを支点として両部材２６ａ，２６ｂが回動すると、作穴体２６の下部が前後に開閉する。前側部材取付アーム２９ａと後側部材取付アーム２９ｂに形成された長穴に遊嵌する連動ピン３０によって、前側部材２６ａと後側部材２６ｂは互いに連動して回動する。前側部材取付アーム２９ａの脚部３１ａと後側部材取付アーム２９ｂの脚部３１ｂとの間に、前側部材２６ａ及び後側部材２６ｂを閉じる側に付勢するスプリング３２が張設されている。
【００１６】
次に作穴体作動機構２７について説明すると、第２植付伝動ケース２５Ｂから突出する支持部に後リンク支持アーム３３ａが回動自在に取り付けられ、その支持アームに基部が枢着された後リンク３４ａの後端に前側部材回動軸２８ａが連結されている。後リンク３４ａの中間部には、第２植付伝動ケース２５Ｂの後端部に設けた後リンク駆動アーム３５ａが連結されている。また、植付ミッションケース２４に前リンク支持アーム３３ｂが回動自在に取り付けられ、その支持アームに基部が枢着された前リンク３４ｂの後端に後側部材回動軸２８ｂが連結されている。前リンク３４ｂの中間部には、第１植付伝動ケース２５Ａの後端部に設けた前リンク駆動アーム３５ｂが連結されている。両駆動アーム３５ａ，３５ｂが駆動回転すると、後リンク３４ａ及び前リンク３４ｂが基部の位置を前後に変動させつつ上下に揺動し、作穴体２６が上下方向の楕円軌跡Ｋを描いて一定姿勢のまま上下動する。
【００１７】
後リンク３４ａの基部には開閉アーム３６が回動自在に取り付けられ、その開閉アーム３６の先端部と前側部材取付アーム２９ａとが開閉ロッド３７で連結されている。また、後リンク３４ａの中間部には後リンク駆動アーム３５ａと一体に回転するように普通の苗用の開閉カム３８ａと草丈の高い苗用の開閉カム３８ｂとが設けられ、そのいづれかと作用するベアリング製のカムフォロア３９が開閉アーム３６に設けられている。
【００１８】
そして、前記作穴体２６には、この作穴体の下部が土中に突入して開いたとき、作穴体の周辺の表土面を押圧する押圧具４０が設けられている。この押圧具４０は、図５に示す通り、作穴体と一体的に形成するものであってもよいが、この押圧具を作穴体とは独立的に可動自在とし、作穴体の下部の開閉動作に連動して押圧作動するように構成してもよい。
【００１９】
図６に示す実施例では、作穴体の下部が閉じた（イ）の状態から（ロ）の状態に開いた時に、押圧具４０が前記（イ）の状態より水平状態に変位し、畝の表土面と平行する面内で押圧するように構成されている。かかる押圧作用によって穴の肩口が確実に押し固められ、穴内への土崩れを防止することができる。
【００２０】
尚、この押圧具４０は、作穴体２６に対して外側に向けて押圧する手段をとってもよい。
図７に示す押圧具４０は、この押圧具そのものが弾性体にて構成されているものである。このように押圧具を弾性体にすると、植付用穴の周囲の表土面に凹凸があっても確実に押圧することができる。また、マルチ圃場であってもマルチフイルムを傷めることがない。
【００２１】
図８に示す作穴体２６は、下部が前側部材２６ａと後側部材２６ｂとからなるように前後に分割されて開閉可能に構成されてあり、そして、該作穴体２６の下部の一方側における外面の前後の傾斜角θ1  が他方側における外面の前後の傾斜角θ2よりも大きくなるよう非対称形に構成されている。つまり、かかる実施例では、例えば、進行方向側における前側部材２６ａの外面が緩傾斜で、反進行方向側における後側部材２６ｂの外面が急傾斜に構成されている。
【００２２】
植付作業時には、作穴体により形成される植付穴の進行方向側の壁が同進行方向側に向けてひきづられる傾向にあって、土の押しのけ量が多くなり、土崩れが発生していた。そこで、上記のように進行方向側における前側部材２６ａの傾斜を緩くすることで、かかる不具合を解消することができる。
【００２３】
図９は作穴体の参考例を示すものであって、次のような構成になっている。つまり、作穴体２６は、図９（Ａ）に示すように平面視で略楕円型にする。そして、左右の側壁面ｌ，ｒは垂直状に近く、前後の側壁面ｆ，ｂは前後方向嘴状に傾斜する構成としている。従って、作穴体を平面視で略楕円型にすることで、作穴体内で床土四角形の苗が左右に倒れにくい。しかも、左右の側壁面が垂直状に近いことで、苗を直立姿勢に保持することができ、また、前後の側壁面の前後方向の傾斜で土中への突入圧を減少させることができる。
【００２４】
作穴体２６が下死点に位置するときに開閉カム３８ａ（または３８ｂ）とカムフォロア３９が係合し、これによって開閉ロッド３７が引かれることにより、作穴体２６の前側部材２６ａと後側部材２６ｂが互いに連動して前後に回動し、作穴体２６の下部が開く。作穴体２６が上昇する行程では下部が開いた状態のまま保持される。そして、開閉カム３８ａにカムフォロア３９が作用している場合は、作穴体２６が上死点に達した時点で、開閉カム３８とカムフォロア３９の係合が外れ、スプリング３２の張力によって作穴体２６の下部が閉じる。また、開閉カム３８ｂにカムフォロア３９が作用している場合は、作穴体２６が上死点を少し過ぎた位置で作穴体２６の下部が閉じる。作穴体２６が上死点を少し過ぎた位置にある時に、苗供給部７により作穴体内に苗が落下供給される。このとき、作穴体２６の下部は閉じている。苗を保持した作穴体２８が下降し、畝の土中に突入する。そして、下死点で作穴体２６の下部が開き、苗移植用穴を形成すると共に、その穴の中に保持していた苗を解放して植付ける。作穴体の下部が土中に突入して開くとき、作穴体の周辺の表土面を押圧する押圧具４０が設けられているので、苗植付用穴の中に土が崩れ落ちてくることがない。
【００２５】
前記苗供給部７は、前記苗植付装置６の上側に設けられ、一株の苗を前記苗植付装置６に順次供給する苗供給回転台４１を備えて構成されている。前記苗供給回転台４１は、前記植付ミッションケース２４からの伝動により前後に往復作動するクランクロッド４２、一方向クラッチ機構４３を介して上下方向の回転軸４４回りに回転駆動するようになっている。また、苗供給回転台４１は、前記回転軸４４を中心とする円周に沿って所定間隔毎に複数の苗供給カップ４５…が設けられた構成となっている。該苗供給カップ４５…は該カップ４５…の底面４５ａ…が開閉可能に設けられると共に、苗供給カップ４５…の下方には苗供給回転台４１の回転により苗供給カップ４５…が所定の位置に来たときのみ該カップ４５…の底面が開くように設けられた苗供給カップ開閉ガイド４６が機体側に固着して設けられている。従って、苗供給回転台４１の回転により苗供給カップ４５…が所定の位置Ａに来ると、苗供給カップ４５…の底面４５ａ…が開いて苗供給カップ４５…内のポット苗を下方の作穴体２６に落下供給し、更に苗供給回転台４１が回転し苗供給カップ４５…が前記所定の位置Ａから外れると苗供給カップ４５…の底面４５ａ…が閉じるようになっている。
【００２６】
苗供給回転台４１の前側には、セルトレイに育苗された苗をセルトレイごと載置する苗載置枠４７を設けている。
覆土鎮圧輪８は、苗植付位置の後方位置において左右一対設けられ、機体の進行に伴って畝面を転動し、苗が植え付けられた後の苗植付用穴の周囲の土を崩落させて穴を埋め戻すと共にその跡を軽く鎮圧をするようになっている。
【図面の簡単な説明】
【図１】苗移植機の側面図
【図２】苗移植機の一部省略した平面図
【図３】苗植付装置の側面図
【図４】苗植付装置の平面図
【図５】作穴体の側面図
【図６】作穴体の側面図
【図７】作穴体の側面図
【図８】作穴体の側面図
【図９】作穴体の（Ａ）平面図、（Ｂ）一部の側面図、（Ｃ）一部の正面図
【符号の説明】
１    苗移植機                      ２    エンジン
３    主伝動ケース                  ４    前輪
５    後輪                          ６    苗植付装置
７    苗供給部                      ８    覆土鎮圧輪
９    操縦ハンドル                １０    走行エクステンションケース
１０ａ  上側アーム                  １１    走行チエンケース
１２    前輪支持フレーム            １３    ローリング軸
１４    左右フレーム                １５    主フレーム
１６    油圧昇降シリンダー          １７    油圧切替バルブ
１８    油圧ポンプ                  １９    横杆
２０    後輪昇降ロッド              ２１    後輪昇降ロッド
２２    水平用油圧シリンダー        ２３    左右傾斜センサ
２４    植付ミッションケース      ２５Ａ    第１植付伝動ケース
２６    作穴体                    ２６ａ    前側部材
２６ｂ  後側部材                    ２７    作穴体作動機構
４０    押圧具                      ４１    苗供給回転台
４５    苗供給カップ                ４７    苗載置枠
【図１】
0004543462.tif 000002
【図２】
0004543462.tif 000003
【図３】
0004543462.tif 000004
【図４】
0004543462.tif 000005
【図５】
0004543462.tif 000006
【図６】
0004543462.tif 000007
【図７】
0004543462.tif 000008
【図８】
0004543462.tif 000009
【図９】
0004543462.tif 000010